【手続補正書】
【提出日】平成15年12月12日(2003.12.12)
【手続補正１】
【補正対象書類名】明細書
【補正対象項目名】特許請求の範囲
【補正方法】変更
【補正の内容】
【特許請求の範囲】
【請求項１】
コンピュータネットワーク上に開設されたホームページにおいて提供されている有料情報等を購入する際に発生する代金を該コンピュータネットワークに接続された決済管理サーバを介して決済する決済方法において、前記決済管理サーバには電話会社が所有する電話回線網を使用する電話使用料に課金される利用料金データが構築されており、当該電話会社が所有する電話回線網を介しての接続が前記利用料金データにおける有料情報等を購入する意思表示をした利用者に基づく接続である場合に当該決済管理サーバが有料情報等の提供者が提供する有料情報等を購入する際に発生する代金と同額の前記利用料金データに基づく有料情報等を購入できる認証情報を生成して当該利用者に対して前記電話回線網を介して送信し、コンピュータネットワークを介して当該認証情報が得られた場合に当該決済管理サーバが当該利用者の電話使用料に課金された前記代金と同額の利用料金から手数料を差し引いた額を当該有料情報等の提供者に支払うことを特徴とする決済方法。
【請求項２】
コンピュータネットワーク上に開設されたホームページにおいて提供されている有料情報等を購入する際に発生する代金を該コンピュータネットワークに接続された決済管理サーバを介して決済する決済方法において、前記決済管理サーバには電話会社が所有する電話回線網を使用する電話使用料に課金される利用料金データが構築されており、当該決済管理サーバが、前記電話会社が所有する電話回線網を介しての接続が前記利用料金データにおける有料情報等を購入する意思表示をした利用者に基づく接続である場合に前記電話回線網を所有する電話会社に対して当該利用料金を当該利用者の電話使用料に課金するように促し、当該決済管理サーバが、当該利用料金が電話使用料に課金されたことを受けて有料情報等の提供者が提供する有料情報等を購入する際に発生する代金と同額の当該課金された利用料金に基づく当該有料情報等を購入できる認証情報を生成して前記電話回線網を介して当該利用者に対して送信することを特徴とする決済方法。
【請求項３】
コンピュータネットワーク上に開設されたホームページにおいて提供されている有料情報等を購入する際に発生する代金を該コンピュータネットワークに接続された決済管理サーバを介して決済する決済方法において、決済管理サーバが、有料情報等の利用料金が電話使用料に課金される電話回線網で利用できる携帯電話機からの接続が当該利用料金別の金額における有料情報等を購入する意思表示をした利用者に基づく接続である場合に前記電話回線網を所有する電話会社に対して当該利用料金を当該利用者の電話使用料に課金するように促し、決済管理サーバが、当該利用料金が電話使用料に課金されたことを受けて有料情報等の提供者が提供する有料情報等を購入する際に発生する代金と同額の当該課金された利用料金に基づく当該有料情報等を購入できる認証情報を生成して前記携帯電話機に表示させることを特徴とする決済方法。
【請求項４】
コンピュータネットワーク上に開設されたホームページにおいて提供されている有料情報等を購入する際に発生する代金を該コンピュータネットワークに接続された決済管理サーバを介して決済する決済方法において、決済管理サーバが、有料情報等の利用料金が電話使用料に課金される電話回線網で利用できる電話機からの接続が当該利用料金別の金額における有料情報等を購入する意思表示をした利用者に基づく接続である場合に前記電話回線網を所有する電話会社に対して当該利用料金を当該利用者の電話使用料に課金するように促し、決済管理サーバが、当該利用料金が前記電話使用料に課金されたことを受けて有料情報等の提供者が提供する有料情報等を購入する際に発生する代金と同額の当該課金された利用料金に基づく当該有料情報等を購入できる認証情報を生成して前記電話機に表示させることを特徴とする決済方法。
【請求項５】
コンピュータネットワーク上に開設されたホームページにおいて提供されている有料情報等を購入する際に発生する代金をコンピュータシステムにより決済するコンピュータネットワークに接続された決済管理サーバであって、前記決済管理サーバには電話会社が所有する電話回線網を使用する電話使用料に課金される利用料金データが構築されていると共に前記電話会社が所有する電話回線網を介しての接続が前記利用料金データにおける有料情報等を購入する意思表示をした利用者に基づく接続である場合に前記電話会社が所有する利用料金の課金を行っている課金対象用リンク管理サーバに対して当該利用料金を当該利用者の電話使用料に課金するように促す手段と、当該利用料金が電話使用料に課金されたことを受けて有料情報等の提供者が提供する有料情報等を購入する際に発生する代金と同額の当該課金された利用料金に基づく当該有料情報等を購入できる認証情報を生成して前記電話回線網を介して当該利用者に対して送信する手段とを備えていることを特徴とする決済管理サーバ。
【請求項６】
コンピュータネットワーク上に開設されたホームページにおいて提供されている有料情報等を購入する際に発生する代金をコンピュータシステムにより決済するコンピュータネットワークに接続された決済管理サーバであって、有料情報等の利用料金が電話使用料に課金される電話回線網で利用できる携帯電話機からの接続が当該利用料金別の金額における有料情報等を購入する意思表示をした利用者に基づく接続である場合に前記電話会社が所有する利用料金の課金を行っている課金対象用リンク管理サーバに対して当該利用料金を当該利用者の電話使用料に課金するように促す手段と、当該利用料金が電話使用料に課金されたことを受けて有料情報等の提供者が提供する有料情報等を購入する際に発生する代金と同額の当該課金された利用料金に基づく当該有料情報等を購入できる認証情報を生成して前記携帯電話機に表示させる手段とを備えていることを特徴とする決済管理サーバ。
【請求項７】
コンピュータネットワーク上に開設されたホームページにおいて提供されている有料情報等を購入する際に発生する代金をコンピュータシステムにより決済するコンピュータネットワークに接続された決済管理サーバであって、有料情報等の利用料金が電話使用料に課金される電話回線網で利用できる電話機からの接続が当該利用料金別の金額における有料情報等を購入する意思表示をした利用者に基づく接続である場合に前記電話会社が所有する利用料金の課金を行っている課金対象用リンク管理サーバに対して当該利用料金を当該利用者の電話使用料に課金するように促す手段と、当該利用料金が電話使用料に課金されたことを受けて有料情報等の提供者が提供する有料情報等を購入する際に発生する代金と同額の当該課金された利用料金に基づく当該有料情報等を購入できる認証情報を生成して前記電話機に表示させる手段とを備えていることを特徴とする決済管理サーバ。
【請求項８】
コンピュータネットワーク上に開設されたホームページにおいて提供されている有料情報等を購入する際に発生する代金をコンピュータシステムにより決済する決済方法であって、有料情報等を購入する意思表示があった場合に該意思表示を特定する意思表示情報を表示し、携帯電話機からの接続により前記意思表示情報が得られた場合に該携帯電話機で利用できる電話回線網を所有する電話会社との間で締結している電話使用料に課金する契約における前記代金と同額の利用料金に基づく前記有料情報等を購入できる認証情報を表示し、当該認証情報が得られた場合に前記電話会社に代わって前記代金と同額の利用料金から手数料を差し引いた額を前記有料情報等の提供者に支払うことを特徴とする決済方法。
【請求項９】
コンピュータネットワーク上に開設されたホームページにおいて提供されている有料情報等を購入する際に発生する代金をコンピュータシステムにより決済する決済方法であって、有料情報等の提供者に対して該提供者を特定する固有の情報と該有料情報等が提供されているホームページアドレスと該有料情報等の代金との入力を促すステップと、有料情報等を購入する意思表示をした利用者に対して該利用者を特定する固有の情報の入力を促すステップと、利用者が購入する意思表示をした有料情報等の代金と利用者を特定する固有の情報とに基づき意思表示を特定する意思表示情報を生成するステップと、前記意思表示をした利用者に対して当該意思表示情報を表示するステップと、前記意思表示をした利用者が所有する携帯電話機からの接続により意思表示情報の入力を促すステップと、前記意思表示情報が得られた場合に当該携帯電話機で利用できる電話回線網を所有する電話会社に対して前記代金と同額の利用料金を課金するよう促すステップと、前記意思表示をした利用者に対して課金された利用料金に基づく前記有料情報等を購入できる認証情報を表示するステップとを備えていることを特徴とする決済方法。
【請求項１０】
コンピュータネットワーク上に開設されたホームページにおいて提供されている有料情報等を購入する際に発生する代金をコンピュータシステムにより決済する決済方法であって、有料情報等の提供者を特定する固有の情報と該有料情報等が提供されているホームページアドレスと該有料情報等の代金とを記憶し、有料情報等を購入する意思表示をした利用者を特定する固有の情報を記憶し、当該利用者を特定する固有の情報と当該有料情報等の代金とに基づき意思表示を特定する意思表示情報を生成して記憶し、前記意思表示をした利用者が所有する携帯電話機からの接続により前記意思表示情報を受信した場合に該携帯電話機で利用できる電話回線網を所有する電話会社にて課金された前記代金と同額の利用料金に基づく前記有料情報等を購入できる認証情報を生成して記憶し、当該認証情報を受信した場合に前記有料情報等の提供者と前記有料情報等の利用者との間で当該認証情報を介して商取引を成立させることを特徴とする決済方法。
【請求項１１】
コンピュータネットワーク上に開設されたホームページにおいて提供されている有料情報等を購入する際に発生する代金をコンピュータシステムにより決済する決済システムであって、有料情報等の提供者を特定する固有の情報と該有料情報等が提供されているホームページアドレスと該有料情報等の代金とを記憶する提供者記憶手段と、有料情報等を購入する意思表示をした利用者を特定する固有の情報を記憶する利用者記憶手段と、前記提供者記憶手段に記憶された代金と前記利用者記憶手段に記憶された利用者を特定する固有の情報とに基づき前記意思表示を特定する意思表示情報を生成する意思表示情報生成手段と、意思表示情報生成手段により生成された前記意思表示情報を記憶する意思表示情報記憶手段と、利用者が所有する携帯電話機からの接続により前記意思表示情報が得られた場合に該携帯電話機で利用できる電話回線網を所有する電話会社との間で締結している電話使用料に課金する契約における前記代金と同額の利用料金に基づく前記有料情報等を購入できる認証情報を生成する認証情報生成手段とを備えていることを特徴とする決済システム。
【請求項１２】
コンピュータネットワーク上に開設されたホームページにおいて提供されている有料情報等を購入する際に発生する代金をコンピュータシステムにより決済するコンピュータネットワークに接続された決済管理サーバであって、有料情報等の提供者を特定する固有の情報データと該有料情報等が提供されているホームページアドレスデータと該有料情報等の代金データとを含んで構成されているホームページ提供者管理データベースと、有料情報等を購入する意思表示をした利用者を特定する固有の情報データを含んで構成されている利用者管理データベースと、携帯電話機で利用できる電話回線網を所有する電話会社との間で電話使用料に課金する契約をしている利用料金データと該利用料金データに対応したホームページアドレスデータとを含んで構成されているホームページアドレス管理データベースとが構築されており、前記有料情報等を購入する意思表示データを受信することにより、利用者管理データベースに記録されている意思表示をした利用者を特定する固有の情報データとホームページ提供者管理データベースに記録されている前記有料情報等の代金データとに基づき前記意思表示を特定する意思表示情報データを生成して前記利用者を特定する固有の情報データに関連付けて前記利用者管理データベースに記録し、前記意思表示情報データを前記携帯電話機から受信することにより、当該意思表示情報データに対応する代金データに基づきホームページアドレス管理データベースに記録されている同額の利用料金データを検索して該利用料金データと該利用料金のホームページアドレスデータとを前記電話会社へ送信し、当該電話会社からの応答により該利用料金に基づく前記有料情報等を購入できる認証情報データを生成して前記利用者を特定する固有の情報データに関連付けて前記利用者管理データベースに記録することを特徴とする決済管理サーバ。
【請求項１３】
コンピュータネットワーク上に開設されたホームページにおいて提供されている有料情報等を購入する際に発生する代金をコンピュータシステムにより決済する決済方法であって、有料情報等を購入する意思表示があった場合に該意思表示を特定する意思表示情報を表示し、電話機からの接続により前記意思表示情報が得られた場合に電話会社との間で締結している電話使用料に課金する契約における前記代金と同額の利用料金に基づく前記有料情報等を購入できる認証情報を表示し、当該認証情報が得られた場合に前記電話会社に代わって前記代金と同額の利用料金から手数料を差し引いた額を前記有料情報等の提供者に支払うことを特徴とする決済方法。
【請求項１４】
コンピュータネットワーク上に開設されたホームページにおいて提供されている有料情報等を購入する際に発生する代金をコンピュータシステムにより決済する決済方法であって、有料情報等の提供者に対して該提供者を特定する固有の情報と該有料情報等が提供されているホームページアドレスと該有料情報等の代金との入力を促すステップと、有料情報等を購入する意思表示をした利用者に対して該利用者を特定する固有の情報の入力を促すステップと、利用者が購入する意思表示をした有料情報等の代金と利用者を特定する固有の情報とに基づき意思表示を特定する意思表示情報を生成するステップと、前記意思表示をした利用者に対して当該意思表示情報を表示するステップと、前記意思表示をした利用者が所有する電話機からの接続により意思表示情報の入力を促すステップと、前記意思表示情報が得られた場合に前記利用者が加入している電話会社に対して前記代金と同額の利用料金を課金するよう促すステップと、前記意思表示をした利用者に対して課金された利用料金に基づく前記有料情報等を購入できる認証情報を表示するステップとを備えていることを特徴とする決済方法。
【請求項１５】
コンピュータネットワーク上に開設されたホームページにおいて提供されている有料情報等を購入する際に発生する代金をコンピュータシステムにより決済する決済方法であって、有料情報等の提供者を特定する固有の情報と該有料情報等が提供されているホームページアドレスと該有料情報等の代金とを記憶し、有料情報等を購入する意思表示をした利用者を特定する固有の情報を記憶し、当該利用者を特定する固有の情報と当該有料情報等の代金とに基づき意思表示を特定する意思表示情報を生成して記憶し、前記意思表示をした利用者が所有する電話機からの接続により前記意思表示情報を受信した場合に前記利用者が加入している電話会社にて課金された前記代金と同額の利用料金に基づく前記有料情報等を購入できる認証情報を生成して記憶し、当該認証情報を受信した場合に前記有料情報等の提供者と前記有料情報等の利用者との間で当該認証情報を介して商取引を成立させることを特徴とする決済方法。
【請求項１６】
コンピュータネットワーク上に開設されたホームページにおいて提供されている有料情報等を購入する際に発生する代金をコンピュータシステムにより決済する決済システムであって、有料情報等の提供者を特定する固有の情報と該有料情報等が提供されているホームページアドレスと該有料情報等の代金とを記憶する提供者記憶手段と、有料情報等を購入する意思表示をした利用者を特定する固有の情報を記憶する利用者記憶手段と、前記提供者記憶手段に記憶された代金と前記利用者記憶手段に記憶された利用者を特定する固有の情報とに基づき前記意思表示を特定する意思表示情報を生成する意思表示情報生成手段と、意思表示情報生成手段により生成された前記意思表示情報を記憶する意思表示情報記憶手段と、利用者が所有する電話機からの接続により前記意思表示情報が得られた場合に前記利用者が加入している電話会社との間で締結している電話使用料に課金する契約における前記代金と同額の利用料金に基づく前記有料情報等を購入できる認証情報を生成する認証情報生成手段とを備えていることを特徴とする決済システム。
【請求項１７】
コンピュータネットワーク上に開設されたホームページにおいて提供されている有料情報等を購入する際に発生する代金をコンピュータシステムにより決済するコンピュータネットワークに接続された決済管理サーバであって、有料情報等の提供者を特定する固有の情報データと該有料情報等が提供されているホームページアドレスデータと該有料情報等の代金データとを含んで構成されているホームページ提供者管理データベースと、有料情報等を購入する意思表示をした利用者を特定する固有の情報データを含んで構成されている利用者管理データベースと、前記利用者が加入している電話会社との間で電話使用料に課金する契約をしている利用料金データと該利用料金データに対応したホームページアドレスデータとを含んで構成されているホームページアドレス管理データベースとが構築されており、前記有料情報等を購入する意思表示データを受信することにより、利用者管理データベースに記録されている意思表示をした利用者を特定する固有の情報データとホームページ提供者管理データベースに記録されている前記有料情報等の代金データとに基づき前記意思表示を特定する意思表示情報データを生成して前記利用者を特定する固有の情報データに関連付けて前記利用者管理データベースに記録し、前記意思表示情報データを前記利用者が所有する電話機から受信することにより、当該意思表示情報データに対応する代金データに基づきホームページアドレス管理データベースに記録されている同額の利用料金データを検索して該利用料金データと該利用料金のホームページアドレスデータとを前記電話会社へ送信し、当該電話会社からの応答により該利用料金に基づく前記有料情報等を購入できる認証情報データを生成して前記利用者を特定する固有の情報データに関連付けて前記利用者管理データベースに記録することを特徴とする決済管理サーバ。
【手続補正２】
【補正対象書類名】明細書
【補正対象項目名】０００１
【補正方法】変更
【補正の内容】
【０００１】
【発明の属する技術分野】
本発明は、コンピュータネットワーク上に開設された有料情報提供サイトや仮想店舗サイトのホームページにおける有料情報の閲覧、有料データのダウンロード、商品の購入等の際に発生する代金の支払いを電話会社から利用料金が支払われるシステムに代わってコンピュータシステムを用いて決済する決済方法に関するものである。


【手続補正３】
【補正対象書類名】明細書
【補正対象項目名】００１０
【補正方法】変更
【補正の内容】
【００１０】
本発明に係る決済方法は、コンピュータネットワーク上に開設されたホームページにおいて提供されている有料情報等を購入する際に発生する代金を該コンピュータネットワークに接続された決済管理サーバを介して決済する決済方法において、前記決済管理サーバには電話会社が所有する電話回線網を使用する電話使用料に課金される利用料金データが構築されており、当該電話会社が所有する電話回線網を介しての接続が前記利用料金データにおける有料情報等を購入する意思表示をした利用者に基づく接続である場合に当該決済管理サーバが有料情報等の提供者が提供する有料情報等を購入する際に発生する代金と同額の前記利用料金データに基づく有料情報等を購入できる認証情報を生成して当該利用者に対して前記電話回線網を介して送信し、コンピュータネットワークを介して当該認証情報が得られた場合に当該決済管理サーバが当該利用者の電話使用料に課金された前記代金と同額の利用料金から手数料を差し引いた額を当該有料情報等の提供者に支払うようにしたものである。また、本発明に係る決済方法は、コンピュータネットワーク上に開設されたホームページにおいて提供されている有料情報等を購入する際に発生する代金を該コンピュータネットワークに接続された決済管理サーバを介して決済する決済方法において、前記決済管理サーバには電話会社が所有する電話回線網を使用する電話使用料に課金される利用料金データが構築されており、当該決済管理サーバが、前記電話会社が所有する電話回線網を介しての接続が前記利用料金データにおける有料情報等を購入する意思表示をした利用者に基づく接続である場合に前記電話回線網を所有する電話会社に対して当該利用料金を当該利用者の電話使用料に課金するように促し、当該決済管理サーバが、当該利用料金が電話使用料に課金されたことを受けて有料情報等の提供者が提供する有料情報等を購入する際に発生する代金と同額の当該課金された利用料金に基づく当該有料情報等を購入できる認証情報を生成して前記電話回線網を介して当該利用者に対して送信するようにしたものである。また、本発明に係る決済方法は、コンピュータネットワーク上に開設されたホームページにおいて提供されている有料情報等を購入する際に発生する代金を該コンピュータネットワークに接続された決済管理サーバを介して決済する決済方法において、決済管理サーバが、有料情報等の利用料金が電話使用料に課金される電話回線網で利用できる携帯電話機からの接続が当該利用料金別の金額における有料情報等を購入する意思表示をした利用者に基づく接続である場合に前記電話回線網を所有する電話会社に対して当該利用料金を当該利用者の電話使用料に課金するように促し、決済管理サーバが、当該利用料金が電話使用料に課金されたことを受けて有料情報等の提供者が提供する有料情報等を購入する際に発生する代金と同額の当該課金された利用料金に基づく当該有料情報等を購入できる認証情報を生成して前記携帯電話機に表示させるようにしたものである。また、本発明に係る決済方法は、コンピュータネットワーク上に開設されたホームページにおいて提供されている有料情報等を購入する際に発生する代金を該コンピュータネットワークに接続された決済管理サーバを介して決済する決済方法において、決済管理サーバが、有料情報等の利用料金が電話使用料に課金される電話回線網で利用できる電話機からの接続が当該利用料金別の金額における有料情報等を購入する意思表示をした利用者に基づく接続である場合に前記電話回線網を所有する電話会社に対して当該利用料金を当該利用者の電話使用料に課金するように促し、決済管理サーバが、当該利用料金が前記電話使用料に課金されたことを受けて有料情報等の提供者が提供する有料情報等を購入する際に発生する代金と同額の当該課金された利用料金に基づく当該有料情報等を購入できる認証情報を生成して前記電話機に表示させるようにしたものである。また、本発明に係る決済管理サーバは、コンピュータネットワーク上に開設されたホームページにおいて提供されている有料情報等を購入する際に発生する代金をコンピュータシステムにより決済するコンピュータネットワークに接続された決済管理サーバであって、前記決済管理サーバには電話会社が所有する電話回線網を使用する電話使用料に課金される利用料金データが構築されていると共に前記電話会社が所有する電話回線網を介しての接続が前記利用料金データにおける有料情報等を購入する意思表示をした利用者に基づく接続である場合に前記電話会社が所有する利用料金の課金を行っている課金対象用リンク管理サーバに対して当該利用料金を当該利用者の電話使用料に課金するように促す手段と、当該利用料金が電話使用料に課金されたことを受けて有料情報等の提供者が提供する有料情報等を購入する際に発生する代金と同額の当該課金された利用料金に基づく当該有料情報等を購入できる認証情報を生成して前記電話回線網を介して当該利用者に対して送信する手段とを備えているものである。また、本発明に係る決済管理サーバは、コンピュータネットワーク上に開設されたホームページにおいて提供されている有料情報等を購入する際に発生する代金をコンピュータシステムにより決済するコンピュータネットワークに接続された決済管理サーバであって、有料情報等の利用料金が電話使用料に課金される電話回線網で利用できる携帯電話機からの接続が当該利用料金別の金額における有料情報等を購入する意思表示をした利用者に基づく接続である場合に前記電話会社が所有する利用料金の課金を行っている課金対象用リンク管理サーバに対して当該利用料金を当該利用者の電話使用料に課金するように促す手段と、当該利用料金が電話使用料に課金されたことを受けて有料情報等の提供者が提供する有料情報等を購入する際に発生する代金と同額の当該課金された利用料金に基づく当該有料情報等を購入できる認証情報を生成して前記携帯電話機に表示させる手段とを備えているものである。また、本発明に係る決済管理サーバは、コンピュータネットワーク上に開設されたホームページにおいて提供されている有料情報等を購入する際に発生する代金をコンピュータシステムにより決済するコンピュータネットワークに接続された決済管理サーバであって、有料情報等の利用料金が電話使用料に課金される電話回線網で利用できる電話機からの接続が当該利用料金別の金額における有料情報等を購入する意思表示をした利用者に基づく接続である場合に前記電話会社が所有する利用料金の課金を行っている課金対象用リンク管理サーバに対して当該利用料金を当該利用者の電話使用料に課金するように促す手段と、当該利用料金が電話使用料に課金されたことを受けて有料情報等の提供者が提供する有料情報等を購入する際に発生する代金と同額の当該課金された利用料金に基づく当該有料情報等を購入できる認証情報を生成して前記電話機に表示させる手段とを備えているものである。


【手続補正４】
【補正対象書類名】明細書
【補正対象項目名】００１３
【補正方法】変更
【補正の内容】
【００１３】
また、本発明に係る決済方法は、コンピュータネットワーク上に開設されたホームページにおいて提供されている有料情報等を購入する際に発生する代金をコンピュータシステムにより決済する決済方法であって、有料情報等の提供者を特定する固有の情報と該有料情報等が提供されているホームページアドレスと該有料情報等の代金とを記憶し、有料情報等を購入する意思表示をした利用者を特定する固有の情報を記憶し、当該利用者を特定する固有の情報と当該有料情報等の代金とに基づき意思表示を特定する意思表示情報を生成して記憶し、前記意思表示をした利用者が所有する携帯電話機からの接続により前記意思表示情報を受信した場合に該携帯電話機で利用できる電話回線網を所有する電話会社にて課金された前記代金と同額の利用料金に基づく前記有料情報等を購入できる認証情報を生成して記憶し、当該認証情報を受信した場合に前記有料情報等の提供者と前記有料情報等の利用者との間で当該認証情報を介して商取引を成立させるようにしたものである。


【手続補正５】
【補正対象書類名】明細書
【補正対象項目名】００１８
【補正方法】変更
【補正の内容】
【００１８】
また、本発明に係る決済方法は、コンピュータネットワーク上に開設されたホームページにおいて提供されている有料情報等を購入する際に発生する代金をコンピュータシステムにより決済する決済方法であって、有料情報等の提供者を特定する固有の情報と該有料情報等が提供されているホームページアドレスと該有料情報等の代金とを記憶し、有料情報等を購入する意思表示をした利用者を特定する固有の情報を記憶し、当該利用者を特定する固有の情報と当該有料情報等の代金とに基づき意思表示を特定する意思表示情報を生成して記憶し、前記意思表示をした利用者が所有する電話機からの接続により前記意思表示情報を受信した場合に前記利用者が加入している電話会社にて課金された前記代金と同額の利用料金に基づく前記有料情報等を購入できる認証情報を生成して記憶し、当該認証情報を受信した場合に前記有料情報等の提供者と前記有料情報等の利用者との間で当該認証情報を介して商取引を成立させるようにしたものである。


【手続補正６】
【補正対象書類名】明細書
【補正対象項目名】００９７
【補正方法】変更
【補正の内容】
【００９７】
また、本実施の形態における決済方法では、有料情報等のＨＰ開設者12，13を特定する固有の所要情報と該有料情報等のマーケットＨＰアドレスと該有料情報等の代金とを第二補助記憶部20に記憶し、有料情報等を購入する意思表示をした利用者６，14を特定する固有の所要情報を第一補助記憶部19に記憶し、当該利用者６，14を特定する固有の所要情報と当該有料情報等の代金とに基づき意思表示を特定する意思表示情報を制御装置17にて生成して第一補助記憶部19とプログラム記憶部18とに記憶し、前記意思表示をした利用者６，14が所有する携帯電話機106 ，114 からの接続により前記意思表示情報を受信した場合に該携帯電話機１で利用できる電話回線網３を所有する電話会社２にて課金された前記代金と同額の利用料金に基づく前記有料情報等を購入できる認証情報を制御装置17にて生成して第一補助記憶部19に記憶し、当該認証情報を受信した場合に前記利用料金から手数料を差し引いた額を代金として前記有料情報等のＨＰ開設者12，13に支払うようしたから、当該認証情報を介して利用者６，14とＨＰ開設者12，13との間で商取引を成立させることができ、ＨＰ開設者12，13は電話会社２との間で利用料金を電話使用料に課金する契約をしていなくても、電話会社２から認証情報管理者15へ支払われた前記利用料金から手数料を差し引いた額を代金として認証情報管理者15から受け取ることができる。


【手続補正７】
【補正対象書類名】明細書
【補正対象項目名】００９９
【補正方法】変更
【補正の内容】
【００９９】
また、本実施の形態における決済システムでは、有料情報等のＨＰ開設者12，13を特定する固有の所要情報と該有料情報等のマーケットＨＰアドレスと該有料情報等の代金とを記憶する第二補助記憶部20と、有料情報等を購入する意思表示をした利用者６，14を特定する固有の所要情報を記憶する第一補助記憶部19と、前記第二補助記憶部20に記憶された代金と前記第一補助記憶部19に記憶された利用者６，14を特定する固有の所要情報とに基づき前記意思表示を特定する意思表示情報を生成する制御装置17と、制御装置17により生成された前記意思表示情報を記憶するプログラム記憶部18のページ番号データメモリm5（又は前記第一補助記憶部19）と、利用者６，14が所有する携帯電話機106 ，114 からの接続によって受信した意思表示情報がページ番号データメモリm5（又は前記第一補助記憶部19）に記憶されている前記代金を満足した場合に該携帯電話機１で利用できる電話回線網３を所有する電話会社２との間で電話使用料に課金する契約における前記代金と同額の利用料金に基づく前記有料情報を購入できる認証情報を生成する前記制御装置17とを備えているから、当該認証情報を介して利用者６，14とＨＰ開設者12，13との間で商取引を成立させれば、利用料金が電話使用料に課金された利用者６，14と該利用者６，14が購入する有料情報等とが特定されて、前記利用料金から手数料を差し引いた額を前記有料情報等のＨＰ開設者12，13に支払うことができる。また、前記決済方法と同様の効果を奏することができる。


【手続補正８】
【補正対象書類名】明細書
【補正対象項目名】０１０４
【補正方法】変更
【補正の内容】
【０１０４】
図３２は本発明の一例を示す実施の形態に係る決済方法を採用したコンピュータネットワークのブロック図であり、図１〜図３１と同一符号は同一又は相当部分を示し、１は電話機であり、該電話機１はＷeb閲覧が可能な表示部1aと、文字や記号等を入力することができる入力部1bと、入力部1bより入力された文字列を確定したり、アイテムを選択したりする決定キー1cと、受話器1dとが設けられており、ブラウザを起動できる機能を備え、ＷＷＷサーバ上のＣＧＩプログラムの実行に対応してデータを送受信できる機能を備えており、利用者６，14及びＨＰ開設者12，13は電話会社２との間で該電話会社２が提供する通話サービスを利用する加入契約をしており、本実施の形態においては前記実施の形態１における特定コードが電話会社２による通話サービスを利用する加入契約をした利用者６，14及びＨＰ開設者12，13に付与された加入者固有の特定コードであり、入力判定部22は認証情報管理者15が利用料金を課金する契約をしている電話会社２が発行した特定コードであるか否かを判断し、当該指定の電話会社２における特定コードでなければ接続を拒否する機能を有している。従って、意思表示をした利用者６，14が所有する電話機106 ，114 からの接続であるか否かの判断は、意思表示をした利用者６，14が加入している電話会社２を介しての接続であるか否か、即ち、認証情報管理者15が利用料金を課金する契約をしている電話会社２を介しての接続であるか否かを判断している。


【手続補正９】
【補正対象書類名】明細書
【補正対象項目名】０１１０
【補正方法】変更
【補正の内容】
【０１１０】
また、本実施の形態における決済方法では、有料情報等のＨＰ開設者12，13を特定する固有の所要情報と該有料情報等のマーケットＨＰアドレスと該有料情報等の代金とを第二補助記憶部20に記憶し、有料情報等を購入する意思表示をした利用者６，14を特定する固有の所要情報を第一補助記憶部19に記憶し、当該利用者６，14を特定する固有の所要情報と当該有料情報等の代金とに基づき意思表示を特定する意思表示情報を制御装置17にて生成して第一補助記憶部19とプログラム記憶部18とに記憶し、前記意思表示をした利用者６，14が加入している電話会社２を介しての接続により前記意思表示情報を受信した場合に利用者６，14が加入している電話会社２にて課金された前記代金と同額の利用料金に基づく前記有料情報等を購入できる認証情報を制御装置17にて生成して第一補助記憶部19に記憶し、当該認証情報を受信した場合に前記利用料金から手数料を差し引いた額を代金として前記有料情報等のＨＰ開設者12，13に支払うようしたから、当該認証情報を介して利用者６，14とＨＰ開設者12，13との間で商取引を成立させることができ、ＨＰ開設者12，13は電話会社２との間で利用料金を電話使用料に課金する契約をしていなくても、電話会社２から認証情報管理者15へ支払われた前記利用料金から手数料を差し引いた額を代金として認証情報管理者15から受け取ることができる。


【手続補正１０】
【補正対象書類名】明細書
【補正対象項目名】０１１２
【補正方法】変更
【補正の内容】
【０１１２】
また、本実施の形態における決済システムでは、有料情報等のＨＰ開設者12，13を特定する固有の所要情報と該有料情報等のマーケットＨＰアドレスと該有料情報等の代金とを記憶する第二補助記憶部20と、有料情報等を購入する意思表示をした利用者６，14を特定する固有の所要情報を記憶する第一補助記憶部19と、前記第二補助記憶部20に記憶された代金と前記第一補助記憶部19に記憶された利用者６，14を特定する固有の所要情報とに基づき前記意思表示を特定する意思表示情報を生成する制御装置17と、制御装置17により生成された前記意思表示情報を記憶するプログラム記憶部18のページ番号データメモリm5（又は前記第一補助記憶部19）と、利用者６，14が所有する電話機106 ，114 からの接続によって受信した意思表示情報がページ番号データメモリm5（又は前記第一補助記憶部19）に記憶されている前記代金を満足した場合に利用者６，14が加入している電話会社２との間で電話使用料に課金する契約における前記代金と同額の利用料金に基づく前記有料情報を購入できる認証情報を生成する前記制御装置17とを備えているから、当該認証情報を介して利用者６，14とＨＰ開設者12，13との間で商取引を成立させれば、利用料金が電話使用料に課金された利用者６，14と該利用者６，14が購入する有料情報等とが特定されて、前記利用料金から手数料を差し引いた額を前記有料情報等のＨＰ開設者12，13に支払うことができる。また、前記決済方法と同様の効果を奏することができる。